(57)【要約】【課題】  本発明は、組み立て浴槽に用いる立設板と給湯袋と敷板と中間板と逆凹形状部材を提供する。【手段】  両端に掛止部を有する掛止板を立設板の下方に回転自在に接続し、掛止部は相対して掛止離反自在で、給湯袋は方形升形状の一方壁を起立自在に展開して構成し、敷板は額縁形状部材を回転自在に接続して中置枠と前方枠と垂下枠とし、中間板は両端に掛止部を設け一対の前記掛止部に設けた中間掛止部と掛止離反自在とし、掛止板を内側に突出して平面上に平坦に位置して複数の立設板を立設し、それぞれの掛止部を隣接する前記掛止部と相対掛止して立設板を固定して壁面を構成し、給湯袋の展開した一方壁を起立して壁面に内装し、敷板の前方枠と垂下枠を起立折畳して中置枠を給湯袋内側底部上面に定置する。【選択図】  図１
2014110827.tif 000002
【特許請求の範囲】
【請求項１】
組み立て型浴槽に用いる立設板と給湯袋と敷板と中間板と逆凹形状部材において、
前記立設板は下方に掛止板を回転自在に接続し該掛止板の両端に掛止部を有し、
前記立設板の立設時に隣接する該掛止部は相対して掛止離反自在となっており、
前記給湯袋は方形升形状の一方壁を折畳展開自在に構成し折畳部に模様を有し、
前記敷板は額縁形状部材で構成する中置枠と前方枠と垂下枠を並べて回転自在に連結し、
両端に掛止部を設けた前記中間板は一対の前記掛止板に設けた中間掛止部と掛止離反自在とし、
前記掛止板を内側に突出して複数の前記立設板を立設した際該掛止板はそれぞれが重ならず平面上に平坦に位置し、
前記立設板で構成した囲い壁面に前記給湯袋を内装した際、
該立設板と該給湯袋の上縁辺に掛け渡して逆凹形状部材を冠着する、
ことを特徴とする、立設板と給湯袋。
【請求項２】
複数の前記立設板と前記中間板で三方壁面を構成し、
前記給湯袋の展開した一方壁を前記三方壁面の開放側に一致させて内装した際、
該給湯袋の内側底部上面に前記中置枠を定置し前記給湯袋の展開した一方壁上に前記前方枠を定置し、
複数の前記掛止板のそれぞれの掛止部と前記中間板は前記中置枠の内側に位置する、
ことを特徴とする、請求項１に記載の立設板と給湯袋。
【発明の詳細な説明】
【技術分野】
【０００１】
本発明は、組み立て型浴槽に用いる立設板と給湯袋と敷板と中間板と逆凹形状部材に関する。                    
【背景技術】
【０００２】
組み立て浴槽には、側板と底板を用いた構成のものがある。
【特許文献１】特願２０１２−０３６７１３
【発明の開示】
【発明が解決しようとする課題】
【０００３】
特許文献１のものは、介助者が入浴者を介助しながら、立設板と底板を組み立て、また撤去するのに煩雑になるという問題点があった。  
【課題を解決するための手段】
【０００４】
そこで、請求項１の発明では、組み立て型浴槽に用いる立設板と給湯袋と敷板と中間板と逆凹形状部材において、
前記立設板は下方に掛止板を回転自在に接続し該掛止板の両端に掛止部を有し、
前記立設板の立設時に隣接する該掛止部は相対して掛止離反自在となっており、
前記給湯袋は方形升形状の一方壁を折畳展開自在に構成し折畳部に模様を有し、
前記敷板は額縁形状部材で構成する中置枠と前方枠と垂下枠を並べて回転自在に連結し、
【０００５】
両端に掛止部を設けた前記中間板は一対の前記掛止板に設けた中間掛止部と掛止離反自在とし、
前記掛止板を内側に突出して複数の前記立設板を立設した際該掛止板はそれぞれ平面上に平坦に位置し、
複数の前記立設板で構成した囲い壁面に前記給湯袋を内装した際、
該立設板と該給湯袋の上縁辺に掛け渡して逆凹形状部材を冠着する。
【０００６】
請求項２の発明では、複数の前記立設板と前記中間板で三方壁面を構成し、
前記給湯袋の展開した一方壁を前記三方壁面の開放側に一致させて内装した際、
該給湯袋の内側底部上面に前記中置枠を定置し前記給湯袋の展開した一方壁上に前記前方枠を定置し、
複数の前記掛止板のそれぞれの掛止部と前記中間板は前記中置枠の内側に位置する。本発明は以上の構成よりなる立設板と給湯袋である。
【発明の効果】
【０００７】
立設板に掛止板が接続されており、介助者が立設板を持つだけで、組み立てと分離収納が容易にでき、すべての掛止板が平面上に平坦に位置し、車椅子の車輪が敷板上を走行するので、車輪の円滑な走行と給湯袋と掛止板を損傷しない。
【発明を実施するための最良の形態】
【０００８】
以下、本発明の実施の形態を説明する。
【実施例１】
【０００９】
図１（Ａ）に示すように、奥立設板１の上方両端に奥上向き突片２を設け、
両端に奥突片３を有する奥掛止板４の上面を奥立設板１下端縁面に当接し、
接合側端縁を奥立設板１外側縁辺に一致させて奥立設板１下端面外側に蝶板２８(以下蝶板以外でも回転自在に接続するものなら何でもよい)で奥掛止板４を回転自在に接続する。これにより奥立設板１を持つだけで奥掛止板４が同時に持ち上がり設置する際取り扱いが簡便になる。
【００１０】
左立設板５の上方両端に左下向き突片６と左上向き突片７を設け、
奥立設板１側に左孔１１を有する左貼付け板１２と中間突片９と左突片８を接続した左掛止板１０の上面を左立設板５下端縁面に当接し、
接合側外端縁を左立設板５外側縁辺に一致させて左立設板５下端面外側に蝶板２８で回転自在に接続する。これにより左立設板５を持つだけで左掛止板１０が同時に持ち上がり設置する際取り扱いが簡便になる。
【００１１】
右立設板１３の上方両端に左下向き突片６と左上向き突片７を設け、
奥立設板１側に右孔１９を有する右貼付け板２９と中間突片９と右突片２２を接続した右掛止板１８の上面を右立設板１３下端縁面に当接し、
接合側外端縁を右立設板１３外側縁辺に一致させて右立設板１３下端面外側に蝶板２８で回転自在に接続する。これにより右立設板１３を持つだけで右掛止板１８が同時に持ち上がり設置する際取り扱いが簡便になる。
【００１２】
前立設板２３の上方両端に前下向き突片４４を設け、
前孔２５を有する前貼付け板４５を両端に接続した前掛止板２６の上面を前立設板２３下端縁面に当接して、
接合側を前立設板２３外側縁辺に一致させて前立設板２３下端面外側に蝶板２８で回転自在に接続する。これにより前立設板２３を持つだけで前掛止板２６が同時に持ち上がり設置する際取り扱いが簡便になる。
中間板２１の中間孔４７は、左掛止板１０および右掛止板１８の中間突片９とそれぞれ掛止離反自在となっている。中間板２１を用いることにより左立設板５と右立設板１３が立設された際の拡開を防止し、給湯袋３３と敷板Ｂの定置が容易になる。
【００１３】
２つの奥突片３は左孔１１と右孔１９と掛止離反自在となっており、
２つの前孔２５は左突片８と右突片２２と掛止離反自在となっており、
奥立設板１と左立設板５と右立設板１３の上方略中央に外側に突出してピン１４を設け、吊り下げ紐３０を係止する。
【００１４】
（Ｂ）は給湯袋３３を布形状部材で構成し、展開壁３２を起立する際の折畳部位に折畳模様３１を設けて折畳作業を容易にし、折畳展開自在とし、上方に有する複数の吊り下げ紐３０は前記ピン１４と掛止離反自在となっており、逆凹形状部材３５または広がり逆凹形状部材３６のいずれかを冠着作業を容易にする。
【００１５】
（Ｃ）は逆凹形状部材３５で、
（Ｄ）は拡開部３７を有する広がり逆凹形状部材３６で、
（Ｅ）は３個の額縁形状部材を蝶板２８で回転自在に接続して敷板Ｂを構成し、
前方枠３９を基準にして中置枠３８は上方に折畳し垂下枠４０は下方に折畳する構成とし、
それぞれの接続部分の両側は広く構成し、車椅子車輪の走行に十分な幅を有する構成にしている。なお垂下枠４０は接続しなくてもよいが、接続することにより、給湯袋３３の展開壁３２を起立した際に構成される折畳突部４２を、前方枠３９との間に挟むと、前立設板２３の立設が容易にできる。
【００１６】
図２は給湯袋３３の起立と折畳の状態を説明するための図で、
（Ａ）は、給湯袋３３の斜視図で、布形状部材である合成樹脂や防水布など、破損しにくい部材で構成し、
三方の起立角５３は平面の布形状部材を接合して構成し、または給湯袋３３を一体成型などで構成し、展開壁３２を起立折畳する際の折畳部位に折畳模様３１を設けて折畳部位の目安とし、
【００１７】
上方に設けた吊り下げ紐３０は給湯袋３３上方に、孔を設け補強用のハトメまたはフックのいずれかを装着して孔の破損を防止するため、孔またはハトメまたはフック等に吊り下げ紐３０を設けてもよく、
給湯袋３３を壁面内側に内装した際、ピン１４に係止して給湯袋３３上方縁が内側に倒れるのを阻止し、逆凹形状部材３５の冠着や車椅子の導入出を容易にする。
（Ｂ）は給湯袋３３を折畳する途中の斜視図で、折畳模様３１に沿って展開壁３２を起立して折畳突部４２を構成し、
【００１８】
（Ｃ）に示すように、折畳突部４２を展開壁３２の外側（または内側）に重ねて位置し、給湯可能な袋状態を構成する。
これにより、展開壁３２を展開した際は車椅子の出入り口となり、車椅子導入後起立して給湯可能な袋となり、展開して車椅子を導出する。
【００１９】
図３（Ａ）に示すように、敷板Ｂの構成は前方枠３９の一方側に中置枠３８を上方へ屈曲するように蝶板２８（屈曲する部材なら何でもよい）で接続し対向側に垂下枠４０を下方へ屈曲するように蝶板２８（屈曲する部材なら何でもよい）で接続する。これにより、給湯袋３３が袋状態で内側に前方枠３９が位置し展開壁３２の外側に垂下枠４０が位置して展開壁３２を挟み、展開壁３２が内側へ倒れるのを防止し、収納時に取り扱いの利便性が向上する
【００２０】
（Ｂ）は、三方壁面の開放面に、給湯袋３３の展開壁３２を一致させて内装し、敷板Ｂを展開して、給湯袋３３の底面上面内側に中置枠３８を定置し、展開壁３２上面に前方枠３９と垂下枠４０を位置する。これにより給湯袋３３の底面が床面に密着し、さらに敷板の上を車椅子の車輪が走行し、給湯袋３３の破損が無くなる。
【００２１】
車椅子の車輪が走行するために中置枠３８と前方枠３９と垂下枠４０の左立設板５側と右立設板１３側の幅は広く設けてあり、展開壁３２側から車椅子を導入出する際車椅子車輪が走行するのに十分な幅を有する車椅子車輪走行路Ｃを有している。
車椅子を垂下枠４０側から導入すると、車椅子車輪が左立設板５側と右立設板１３側の、
垂下枠４０と前方枠３９と中置枠３８それぞれの上を走行して中置枠３８上に位置する。
【００２２】
図４（Ａ）は、奥立設板１と左立設板５と右立設板１３と前立設板２３で構成する四方壁面の平面図で、
立設の手順は、奥掛止板４を内側に位置して立設した奥立設板１に、
【００２３】
左掛止板１０を内側にして左立設板５を立設し奥突片３に左孔１１を掛止し、奥上向き突片２に左下向き突片６を掛止し、
右掛止板１８を内側にして右立設板１３を立設し奥突片３に右孔１９を掛止し、
奥上向き突片２に右下向き突片１７を掛止し、
【００２４】
中間板２１を中間突片９にそれぞれ掛止して固定する。
これで中間板２１により左立設板５と右立設板１３の拡開が阻止し固定されるので、
次のステップである給湯袋３３の内装作業と敷板Ｂの定置作業とその後の車椅子の給湯袋３３内部への導入が容易になる。
奥掛止板４と前掛止板２６は左掛止板１０と右掛止板１８の内側に位置し、重なることなく平坦に位置するので、床面に平坦に位置し破損が無くなる。
【００２５】
前掛止板２６を内側に位置して前立設板２３を立設し、左突片８と右突片２２に前孔２５をそれぞれ掛止し、左上向き突片７と右上向き突片１５に前下向き突片４４をそれぞれ掛止固定して壁面を構成する。
（Ｂ）は、敷板Ｂと左貼付け板１２と右貼付け板２９と中間板２１の位置関係を説明するため、給湯袋３３を除いて敷板Ｂを定置した平面図で、
【００２６】
奥立設板１と左立設板５と右立設板１３で三方壁面を構成し、
展開した敷板Ｂの中置枠３８を壁面内側に定置すると、
中置枠３８の内側に左貼付け板１２と右貼付け板２９と中間板２１が位置し、さらに前方枠３９と垂下枠４０が列置され、奥掛止板４と左掛止板１０と右掛止板１８の上面に、敷板Ｂが乗り平面上に平坦に位置する構成になる。これにより伸展した敷板Ｂがそれぞれの掛止板上で平坦に位置し、車椅子の車輪走行が円滑になる。
【００２７】
左立設板５内側と右立設板１３内側の敷板Ｂの幅は広く設けてあり、車椅子車輪走行路Ｃが確保され、車椅子車輪の円滑な走行を得る。
さらに、（図５参照）前方枠３９の内側に左突片８および右突片２２が位置するため、前方枠３９を起立した際、左突片８と右突片２２が前方枠３９の外側に位置するので、
前掛止板２６の前孔２５を左突片８と右突片２２に掛止するのが容易になり、前立設板２３の立設が容易になる。
【００２８】
図５（Ａ）は、敷板Ｂとそれぞれの掛止板の関係を説明する便宜上、給湯袋３３を除いて敷板Ｂを壁面内側に定置した平面図で、四方の壁面内に敷板Ｂが位置し、前方枠３９は起立し垂下枠４０は垂下し折畳した状態にある。
（図４（Ｂ）の状態から、図５（Ａ）の状態になる。）
図４（Ｂ）で、前方枠３９を起立すると、垂下枠４０が垂下し、
左突片８と右突片２２が中置枠３８の外側に位置する。
左突片８と右突片２２に前孔２５（図では前方枠３９と垂下枠４０の下側になり隠れた状態になっている）をそれぞれ掛止固定して、
【００２９】
左立設板５の左上向き突片７と右立設板１３の右上向き突片１５に、前立設板２３の前下向き突片４４をそれぞれ掛止固定し、前立設板２３を立設すると、
前方枠３９と垂下枠４０が前立設板２３の内側に位置する構成になる。
（Ｂ）は、給湯袋３３を壁面に内装し、敷板Ｂを定置し、前立設板２３を立設する前の状態の平面図である。この状態で車椅子が出入りする。
【００３０】
説明の便宜上、給湯袋３３を透明としてある。
奥立設板１と左立設板５と右立設板１３で構成する三方壁面内に、展開した給湯袋３３を内装した際、中置枠３８の内側に左掛止板１０と右掛止板１８と前貼付け板４５が位置し、
【００３１】
前方枠３９と垂下枠４０は給湯袋３３の展開壁３２上面に位置し、敷板Ｂ上で車椅子車輪の円滑な走行を得ると同時に、走行による給湯袋３３の損傷を防止する。
図６（Ａ）に示すように、給湯袋３３の内側底面に敷板Ｂを定置した状態から、給湯袋３３の展開壁３２を起立し（図２参照）、展開壁３２と折畳突部４２を前方枠３９の外側で折畳して重ね、垂下枠４０を垂下し、前方枠３９とで挟み圧縮する。これにより前立設板２３の立設が容易になる。
【００３２】
（Ｂ）に示すように、前掛止板２６の前孔２５を左突片８と右突片２２に掛止し（図では前方枠３９と垂下枠４０の下に隠れ表示されない）、前立設板２３を立設して前立設板２３の前下向き突片４４を左立設板５と右立設板１３の上向き突片にそれぞれ掛止固定して壁面を完成する。
この状態では、給湯袋３３の折畳突部４２が前掛止板２６の内側と離れているが、給湯袋３３内に給湯すると、前方枠３９の枠内の内側を湯の内圧により押進し起立している展開壁３２と折畳突部４２を前立設板２３内壁に押圧し密着する。
【００３３】
図７は図１で説明不十分な、前立設板２３内側の前掛止板２６の状態を説明するための図で、
（Ａ）は実施例１の図１立設時の内側Ａを示し、前孔２５を有する前貼付け板４５を前掛止板２６に接続して構成し、
（Ｂ）は実施例１の、前掛止板２６に段部４３を設け両端に前孔２５を設けて構成してもよく、左孔１１と右孔１９を設ける際にも用いてもよい。これにより一体成型で前掛止板２６と段部４３と前孔２５が構成され製造が容易になる。
（Ｃ）実施例１の、前掛止板２６に前掛止枠１６を設けて前孔２５として作用させてもよく、左掛止板１０や右掛止板１８や前掛止板２６に設けて左孔や右孔や前孔の代りに用いてもよい。これにより前貼付け板４５や段部４３が不要になる。
【実施例２】
【００３４】
図８（Ａ）に示すように、掛止板４６の長手方向の下方端縁辺を立設板４８の下方端に当接し、立設板４８の外側面縁に掛止板４６の長手方向端を一致させ、立設板４８の内側となる面で蝶板２８により回転自在に接続すると、（Ｂ）に示すように掛止板４６を折畳できる。
これにより立設板４８を持ち上げると掛止板４６が自然に内側に突出位置するので立設時に便利である。
掛止板４６には実施例１同様の奥突片３や中間突片９や左突片８や右突片２２や左貼付け板１２や右貼付け板２９や段部４３や左掛止枠２７や右掛止枠２４を設ける。
【実施例３】
【００３５】
図９（Ａ）に示すように、掛止板４６の長手方向の一方端縁辺面を、立設板４８の内側となる面の下端縁辺に当接し、
掛止板４６上面と立設板４８の内側を蝶板２８で回転自在に接続する、
（Ｂ）に示すように掛止板４６を折畳できる。掛止板４６には実施例１同様の突片や孔や貼付け板や掛止枠を設ける。
これにより折畳収納時に掛止板４６が立設板４８と一体になる。
【実施例４】
【００３６】
図１０に示すように、
左孔１１と右孔１９の構成は、左掛止板１０に左段部４１を設けて左孔１１を設け、右掛止板１８に右段部３４を設け右孔１９を設ける。掛止板４６には実施例１同様の突片や孔や貼付け板や掛止枠を設ける。
これにより左掛止板１０と右掛止板１８の製造時に左貼付け板１２と右貼付け板２９を貼り付けることが不要になる。
【実施例５】
【００３７】
図１１に示すように、
左掛止板１０に左掛止紐２７を設け、
右掛止板１８に右掛止紐２４を設け、
前掛止板２６両端に前掛止紐１６を設け、
中間板２１に中間掛止紐２０を設けると、
孔を構成するための左貼付け板１２や右貼付け板２９や前貼付け板４５が不要になり製造が容易になる。
【実施例６】
【００３８】
図１２（Ａ）に示すように、
立設板４８に立設板凹部５１とカンヌキ孔５２を設け、
掛止板４６に掛止板凸部４９とカンヌキ孔５２を設け、
（Ｂ）に示すように、
立設板凹部５１に掛止板凸部４９を嵌めて、カンヌキ孔５２にカンヌキ５３を貫通し、掛止板４６を回転自在に接続すると、蝶板２８が不要になり立設板４８および掛止板４６を一体成型する際便利である。
【図面の簡単な説明】
【００３９】
【図１】（Ａ）は立設板と掛止板と中間板の斜視図、（Ｂ）は給湯袋の斜視図、（Ｃ）は逆凹形状部材の斜視図、（Ｄ）は拡開逆凹形状部材の斜視図、（Ｅ）は敷板の斜視図
【図２】（Ａ）は給湯袋の完成斜視図、（Ｂ）は給湯袋の展開壁を起立途中に折畳突部を構成する斜視図、（Ｃ）は展開壁を起立し折畳突部を折畳した斜視図
【図３】（Ａ）は敷板の完成斜視図、（Ｂ）は敷板を給湯袋の底部上面と展開壁に定置した斜視図、
【図４】（Ａ）は立設板で壁面を構成し中間板を装着し掛止板の位置を説明するための平面図、（Ｂ）は壁面内部の掛止板と敷板の位置関係を説明するための平面図で、給湯袋を除き立設板で構成した三方壁面に敷板を展開して位置した平面図、
【図５】（Ａ）は四方の壁面内部に前方枠と垂下枠を折畳して敷板を位置し敷板と掛止部の位置関係を説明するための平面図、（Ｂ）は立設板で構成した三方壁面内側に給湯袋と敷板を定置し位置関係を説明するための平面図、
【図６】（Ａ）は立設板で構成した三方壁面内部に給湯袋と敷板を定置し給湯袋の起立壁と前方枠を起立し垂下枠を垂下する途中で前立設板を除いた平面図、（Ｂ）は垂下枠を垂下し前立設板を立設した平面図、
【図７】（Ａ）は孔を設けた貼付け板を掛止板に接続した斜視図、（Ｂ）掛止板に段部を設け段部に孔を設けた斜視図、（Ｃ）は掛止板に掛止枠を設けた斜視図、
【図８】（Ａ）は立設板の下端縁辺に掛止板端部上面を当接し内側を蝶板で接続し構成した斜視図、（Ｂ）は掛止板を折畳した斜視図、
【図９】（Ａ）は立設板の内側に掛止板の端縁辺を当接し蝶板で接続した斜視図、（Ｂ）は掛止板を折畳した斜視図、
【図１０】は左掛止板と右掛止板に段部を設け段部に孔を設けた斜視図、
【図１１】は左掛止板と右掛止板と中間掛止板と前掛止板にそれぞれ掛止用の紐を設けた斜視図、
【図１２】は立設板と掛止板をカンヌキで接続する斜視図、
【符号の説明】
【００４０】
Ａ立設時の内側、
Ｂ敷板、
Ｃ車椅子車輪走行路、
１奥立設板、
２奥上向き突片、
３奥突片、
４奥掛止板、
５左立設板、
６左下向き突片、
７左上向き突片、
８左突片、
９中間突片、
１０左掛止板、
１１左孔、
１２左貼付け板、
１３右立設板、
１４ピン、
１５右上向き突片、
１６前掛止紐、
１７右下向き突片、
１８右掛止板、
１９右孔、
２０中間掛止紐、
２１中間板、
２２右突片、
２３前立設板、
２４右掛止紐、
２５前孔、
２６前掛止板、
２７左掛止紐、
２８蝶板、
２９右貼付け板、
３０吊り下げ紐、
３１折畳模様、
３２展開壁、
３３給湯袋、
３４右段部、
３５逆凹形状部材、
３６広がり逆凹形状部材、
３７拡開部、
３８中置紐、
３９前方枠、
４０垂下枠、
４１左段部、
４２折畳突部、
４３段部、
４４前下向き突片、
４５前貼付け板、
４６掛止板、
４７中間孔、
４８立設板、
４９掛止板凸部、
５０掛止板凸部孔、
５１立設板凹部、
５２カンヌキ孔、
５３カンヌキ、
５３起立角、
【図１】
2014110827.tif 000003
【図２】
2014110827.tif 000004
【図３】
2014110827.tif 000005
【図４】
2014110827.tif 000006
【図５】
2014110827.tif 000007
【図６】
2014110827.tif 000008
【図７】
2014110827.tif 000009
【図８】
2014110827.tif 000010
【図９】
2014110827.tif 000011
【図１０】
2014110827.tif 000012
【図１１】
2014110827.tif 000013
【図１２】
2014110827.tif 000014